(57)【要約】      （修正有）【課題】身体のさまざまな部位で使用できる、又は、身体の上で安定性が高い開創補助具を提供する。【解決手段】開創補助具１は、環状に形成された基部２と、基部に開創器を固定するために設けられる複数の固定部とを含み構成され、９７ｗｔ％以上の錫を含有する金属によって基部及び前記固定部を一体的に形成されている。さらに０．３ｗｔ％以上１．０ｗｔ％以下の銀を含有する金属で一体的に形成されている。また、開創補助具１は、固定部として基部の外側に配置され、基部から突出する複数の突出部４を備えている。【選択図】図１
2016083101.tif 000002
【特許請求の範囲】
【請求項１】
環状に形成された基部と、
前記基部に開創器を固定するために設けられる複数の固定部と
を有し、
前記基部及び前記固定部は、錫を含有する金属により一体的に形成されている
開創補助具。
【請求項２】
前記固定部は、前記基部の外側に配置され、該基部から突出する複数の突出部であり、
前記基部及び前記の突出部は、錫を含有する金属により一体的に形成されている
請求項１に記載の開創補助具。
【請求項３】
前記金属は、９７ｗｔ％以上の錫を含有する
請求項２に記載の開創補助具。
【請求項４】
前記金属は、０．３ｗｔ％以上１．０ｗｔ％以下の銀を含有する
請求項３に記載の開創補助具。
【請求項５】
環状に形成された基部と、前記基部に開創器を固定するために設けられる複数の固定部とを、錫を含有する金属により一体的に形成されている開創補助具と、
前記開創補助具に固定される開創器と
を有する
開創器システム。
【請求項６】
リング状の弾性部材
をさらに有し、
前記開創器は、前記弾性部材に固定されている
請求項５に記載の開創器システム。
【発明の詳細な説明】
【技術分野】
【０００１】
本発明は、開創補助具、及び、開創器システムに関するものである。
【背景技術】
【０００２】
例えば、特許文献１には、実質的に剛体材料で作られたレトラクタ・フレ−ムであって、前記フレ−ムが第一部分フレ−ムおよび第二部分フレ−ムを含み、これら両部分フレームは一緒になって、外科処置領域を取り囲み、且つ外科的処置の間、体組織の一時的な開創のための複数の外科用ステ−を解放自在に受け入れるように適応した支持体を規定するフレーム；において、改良が、前記第一部分フレ−ムを第二部分フレ−ムに永久的に固定する手段を含み、前記固定手段は、前記第一および第二部分が相対的に動かされることを許容するため変形可能なものである、レトラクタ・フレームが開示されている。
【０００３】
また、特許文献２には、複数の取り付け孔が形成されていると共に概ね水平に配置された支持部材を備えた支持フレームと、上記支持フレームに選択された位置でかみ合う少なくともひとつの開創器のブレードであって、上記少なくともひとつの開創器のブレードが、長手方向に延在する溝が形成されていると共に実質的に長寸の水平に配置された取り付け部分と、上記取り付け部分の末端に一体的的に設けられた組織後退部分とを有し、上記組織後退部分が、上記取り付け部分と同一平面上にある第１部分と、上記第１部分に対して角度をなして配置された第２部分とを有し、上記組織後退部分の上記第１部分および上記第２部分の両方の実質的に中央には開いたアクセス窓が形成されている、上記少なくともひとつの開創器のブレードと、上記少なくともひとつの開創器のブレードを上記支持フレームに選択的にかみ合わせるための少なくともひとつの固定要素とを有することを特徴とする外科用開創器が開示されている。
【０００４】
また、特許文献３には、円周方向に沿って複数の係止部を持ち、自己の本来の形状を弾性的に復元、保持するリング部材と、任意の部位で前記係止部に取外し自由に係止可能で伸縮性および弾力性を有する複数の細長い連結部材と、前記各連結部材の先部に止着される複数の掛止部材とからなることを特徴とする手術用補助具が開示されている。
【先行技術文献】
【特許文献】
【０００５】
【特許文献１】特開２０００−２７９４１９号公報
【特許文献２】特開２００２−１５３４７６号公報
【特許文献３】特開平８−１０３４６０号公報
【発明の概要】
【発明が解決しようとする課題】
【０００６】
本発明は、身体のさまざまな部位で使用できる、又は、身体の上で安定性が高い開創補助具を提供することを目的とする。
【課題を解決するための手段】
【０００７】
本発明に係る開創補助具は、環状に形成された基部と、前記基部に開創器を固定するために設けられる複数の固定部とを有し、前記基部及び前記固定部は、錫を含有する金属により一体的に形成されている。
【０００８】
好適には、前記固定部は、前記基部の外側に配置され、該基部から突出する複数の突出部であり、前記基部及び前記の突出部は、錫を含有する金属により一体的に形成されている。
【０００９】
好適には、前記金属は、９７ｗｔ％以上の錫を含有する。
【００１０】
好適には、前記金属は、０．３ｗｔ％以上１．０ｗｔ％以下の銀を含有する
【００１１】
本発明に係る開創器システムは、環状に形成された基部と、前記基部に開創器を固定するために設けられる複数の固定部とを、錫を含有する金属により一体的に形成されている開創補助具と、前記開創補助具に固定される開創器とを有する。
【００１２】
好適には、リング状の弾性部材をさらに有し、前記開創器は、前記弾性部材に固定されている。
【発明の効果】
【００１３】
本発明によれば、身体のさまざまな部位で使用できる、又は、身体の上で安定性が高くすることができる。
【図面の簡単な説明】
【００１４】
【図１】開創補助具１を例示する斜視図である。
【図２】図１に例示する開創補助具１の平面図及び側面図を例示する図である。
【図３】図１に例示する開創補助具１のＡ部分拡大図及びＢ部分拡大図を例示する図である。
【図４】開創器システム１０を例示する図である。
【図５】開創器システム１０の使用形態を例示する図である。
【発明を実施するための形態】
【００１５】
以下、本発明に係る実施形態の構成を、図面を参照して説明する。ただし、本発明の範囲は、図示例に限定されるものではない。
【００１６】
まず、本実施形態に係る背景と概要とを説明する。
身体の外科的処置において、身体の切開された部位における術野を確保するために、開創器を用いる。開創器は、例えば、ステンレス鋼で構成されており、手術手技や切開する部位に応じて様々のものがある。そのうち、例えば、フレームと、切開された部位を広げる爪部材とを備え、爪部材をフレームに固定する開創器システムがある。
しかしながら、このような開創器システムでは、フレームは、個々の患者の体型に応じて複数製作するには限度がある。また、患者の体型に応じた既定サイズのフレームを使用しても、部位によっては患者の体型に沿うように配置することは難しい。また、フレームは、ステンレス鋼で構成されるため、手の力で変形させることもできない。
【００１７】
そこで、本実施形態に係る開創補助具１は、環状に形成された基部と、基部に開創器を固定するために設けられる複数の固定部とを含み構成されている。また、開創補助具１は、錫を含有する金属によって基部及び前記固定部を一体的に形成されている。
また、開創補助具１は、固定部として基部の外側に配置され、基部から突出する複数の突出部を備えている。また、開創補助具１は、９７ｗｔ％以上の錫を含有する金属で一体的に形成されている。また、開創補助具１は、９７ｗｔ％以上の錫と、０．３ｗｔ％以上１．０ｗｔ％以下の銀とを含有する金属で一体的に形成されている。
このように、開創補助具は、９７ｗｔ％以上の錫と、０．３ｗｔ％以上１．０ｗｔ％以下の銀とを含有する金属で一体的に形成されることにより、手の力で変形させることができるため、開創補助具を配置する部位の形状に合わせて変形させて配置することができる。
【００１８】
また、本実施形態に係る開創器システム１は、環状に形成された基部と、基部に開創器を固定するために設けられる複数の固定部とを、錫を含有する金属により一体的に形成されている開創補助具と、開創補助具に固定される開創器と、開創器と固定されているリング状の弾性部材とを含み構成されている。
開創器システム１は、切開された部位を広げる開創器に固定された弾性部材を、開創補助具に含まれる固定部であり、基部の外側に配置され、基部から突出する突出部に掛けて配置されている。
このように、開創器システム１は、錫を含有する金属により一体的に形成されている開創補助具により、開創補助具を配置する部位の形状に合わせて変形させて配置することができる。
また、開創器システム１は、開創補助具と開創器とを、弾性部材を用いて固定することにより、切開された部位に配置された開創器を引っ張ることができるため、切開された部位を広げる状態を維持することができる。また、開創器システム１は、弾性部材を用いることにより、伸縮させて開創器を配置する位置を容易に調節することができる。
【００１９】
次に、本実施形態に係る開創補助具１の構成を説明する。
図１は、開創補助具１を例示する斜視図である。
図１に示すように、開創補助具１は、環状に形成された基部２と、基部２に開創器８を固定するために設けられる複数の固定部３とを含み構成されている。ここで、固定部３は、例えば、孔部（例えば貫通孔及び螺子孔等）、溝部、及び、突出部等を含み、開創器８を基部２に固定できるものであればとくに限定しない。本実施例では、一例として突出部４として具体的に説明する。
開創補助具１は、基部２、及び、突出部４を含み構成されている。具体的には、開創補助具１は、環状に形成された基部２の外側に、基部２から突出する複数の突出部４を互いに間隔をあけて配置されている。開創補助具１は、基部２と突出部４とを一体的に形成されている。
また、開創補助具１は、例えば、錫を含有する金属で一体的に形成されている。具体的には、開創補助具１は、錫と銀とを含有する金属で一体的に形成されている。さらに具体的には、開創補助具１は、９７ｗｔ％以上である錫と、０．３ｗｔ％以上１．０ｗｔ％以下である銀とを含有する金属で一体的に形成されている。換言すると、金属は、９７ｗｔ％以上である錫と、０．３ｗｔ％以上１．０ｗｔ％以下である銀とを含有する。より好ましくは、金属は、９７ｗｔ％以上である錫と、０．５ｗｔ％である銀とを含有する金属で一体的に形成されている。
このように、開創補助具１は、９７ｗｔ％以上である錫を含有する金属で一体的に形成されることにより、手の力で変形可能な程度の柔らかさとなる。また、開創補助具１は、９７ｗｔ％以上である錫と、０．５ｗｔ％である銀とを含む金属で一体的に形成することにより、錫のみの場合より、適度な硬さを備えるよう形成することができる。
【００２０】
［基部２］
基部２は、本発明に係る基部の一例である。
図２は、図１に例示する開創補助具１の平面図及び側面図を例示する図である。
図２（ａ）は、開創補助具１の平面図を例示する図であり、図２（ｂ）は、開創補助具１の側面図を例示する図である。
図２（ａ）に例示するように、基部２は、環状に形成されている。基部２は、環状であれば、円形状、楕円形状、トラック形状（矩形の両側に半円を接続した形状）、及び、多角形状に形成されてもよい。また、基部２は、互いに間隔をあけて配置した複数の突出部４を基部２の外側に配置され、これら突出部４と一体的となるよう形成されている。
【００２１】
また、基部２は、環状に形成される内側の長さのうち、長径２ａの寸法が約１８ｃｍ〜約２０ｃｍであり、短径２ｂの寸法が約１２ｃｍ〜約１４ｃｍである。基部２は、手の力で自由に変形することにより、長径２ａ及び短径２ｂの寸法を変更することができる。また、基部２は、幅２ｗの寸法が約１ｃｍ以下であり、好ましくは、約０．５ｃｍである。
また、図２（ｂ）に例示するように、基部２は、厚み２ｈの寸法が約０．５ｃｍ以下であり、好ましくは約０．３ｃｍである。
このように、基部２は、形成されている。本実施例の基部２は、具体的な一例の大きさであり、使用する部位に合わせて輪の大きさの異なるよう製造することができる。
【００２２】
［突出部４］
突出部４は、本発明に係る突出部の一例である。
図３は、図１に例示する開創補助具１のＡ部分拡大図及びＢ部分拡大図を例示する図である。
図３（ａ）は、図２（ａ）に例示する開創補助具１のＡ部分拡大図を例示する図であり、図３（ｂ）は、図２（ｂ）に例示する開創補助具１のＢ部分拡大図を例示する図である。
図２に例示するように、突出部４は、環状に形成された基部２の外側の位置から突出して複数配置され、基部２と一体的に形成されている。また、突出部４は、環状に形成された基部２の外側に、基部２から突出する複数の突出部４を互いに間隔をあけて配置されている。開創補助具１は、基部２と突出部４とを一体的に形成されている。
また、突出部４は、なめらかな丸棒状であり、先端部分が略ドーム状に形成されている。突出部４は、突出部４の先端部分から、基部２と接続する突出部４の基端部分にかけて、窄まるようになだらかな傾斜形状に形成されている。
また、突出部４は、基部２と一体的に形成されているため、基部２との接続部分で角度を変えることができる。
【００２３】
具体的には、図３（ａ）に例示するように、突出部４は、基部２から突出する長さ４ｔの寸法が約０．５ｃｍ〜約１．５ｃｍであり、好ましくは、約１．０ｃｍである。
また、突出部４は、最も太い部分の直径４Ｄの寸法が約０．５ｃｍ以下であり、最も細い部分の直径４ｄの寸法が０．３ｃｍ以下である。
また、図３（ｂ）に例示するように、突出部４は、互いに離間する距離４ｉの寸法が約２．０ｃｍ〜約３．０ｃｍであり、好ましくは約２．５ｃｍである。
このように、突出部４は、形成されている。
【００２４】
このように、開創補助具１は、９７ｗｔ％以上である錫と、純度０．５ｗｔ％である銀とを含む金属部材を用いて、基部２と突出部４とを一体的となるよう形成されている。
また、開創補助具１は、９７ｗｔ％以上である錫と、０．５ｗｔ％である銀とを含んで形成することにより、錫の柔らかさを銀で調節することで適度な柔らかさを実現することができる。
また、開創補助具１は、錫にて形成されることにより、抗菌・滅菌作用を保持させることができるため、衛生的である。また、開創補助具１は、錫にて形成されることにより、素肌に直接触れるように装着する場合であっても、金属アレルギーを引き起こしにくい。
【００２５】
次に、本実施形態に係る開創器システム１０の使用形態を説明する。
開創器システム１０は、開創補助具１、バンド６、及び、開創器８で構成されている。
［バンド６］
本発明に係る弾性部材の一例である。
バンド６は、例えば、リング状の弾性部材により構成されている。具体的には、バンド６は、ゴムであり、伸縮性を備える。また、バンド６は、殺菌・滅菌処理に対応するものが好ましい。
また、バンド６は、開創器８の固定する部分に接続して固定されている。バンド６は、開創器８と固定された状態で、開創補助具１の基部２に配置された突出部４に引っ掛けて取り付けられる。本実施例のバンド６は、開創器８に固定した状態で、開創補助具１の６箇所の位置に取り付けられている。バンド６は、引っ掛ける突出部４の数を変えることにより、長さを調節することができる。
【００２６】
［開創器８］
開創器８は、本発明に係る開創器の一例である。
開創器８は、切開した部分（切開部９）に取り付け、取り付けられた切開部９を広げた状態で維持するための器具である。
開創器８は、その先端部分の形状が例えば、フック状（鉤状、鈎状）、板状、及び、曲板状に形成されている。また、開創器８は、基端部分の形状がバンド６を固定できるよう形成されている。
開創器８は、基端部分にバンド６を固定されている状態で、開創補助具１に取り付けられている。
本実施例の開創器８は、先端部分の形状がフック状であるものを具体例として説明する。
【００２７】
次に、本実施形態に係る開創補助具１の使用形態を説明する。
図５は、開創器システム１０の使用形態を例示する図である。
図５（ａ）は、開創器システム１０の使用形態を例示する側面図であり、図５（ｂ）は、開創器システム１０の使用形態を例示する平面図である。
図５に例示するように、使用者は、切開時において、切開部９における術野を確保するために、開創補助具１を使用する。
まず、使用者は、開創補助具１における基部２の内側に切開部９が収まる位置に、開創補助具１を配置する。
使用者は、基部２の内側に切開部９が収まるように、基部２を手で変形させる。また、使用者は、開創補助具１を配置する部位の形状に適うよう基部２を手で変形させる。よって、使用者は、切開部９の大きさ、及び、開創補助具１を配置する部位の形状に合わせて変形させることにより、開創補助具１を配置する部位に密着するように、開創補助具１を配置することができる。
次に、使用者は、開創補助具１を配置したあと、バンド６と接続された開創器８を用いて切開部９を広げる。
使用者は、バンド６を開創補助具１の突出部４に掛け、バンド６を引っ張った状態で開創器８のフック部分を切開部９に掛けて配置する。よって、使用者は、弾性力により引き伸ばされたバンド６により、切開部９を広げることができる。
このように、使用者は、開創器システム１を用いて切開部９における術野を確保することができる。
【００２８】
以上説明したように、本実施形態に係る開創補助具１は、環状に形成された基部２と、基部２の外側に突出して複数の配置された突出部４とを含み、基部２と突出部４とを少なくとも錫で一体的に形成されている。開創補助具１は、基部２と突出部４とを錫で一体的に形成されることにより、手で変形させることが可能である程度の柔らに形成することができる。よって、開創補助具１は、錫で形成されることにより手で変形させることができるため、様々な部位の形状に合わせて自由に形状を変形させて使用することができる。また、開創補助具１は、様々な部位の形状に合わせて変形させることで、身体の上で安定して配置することができる。
また、開創補助具１は、錫で形成されることにより、抗菌・滅菌作用を保持させることができるため、衛生的であり、また、素肌に直接触れるように配置する場合であっても、金属アレルギーを引き起こしにくい。
また、開創補助具１は、９７ｗｔ％以上である錫と、０．５ｗｔ％である銀とを含有する金属で一体的に形成されることにより、錫のみの場合より硬くなるよう形成できるため、手で変形できる硬さと、切開部９を広げる状態を維持するバンド６の弾性力によって変形しない程度の硬さとの双方を兼ね備える、好適な柔らかさを実現することができる。
また、開創補助具１は、錫で形成されることにより全体が変形自在であるため、様々な部位の形状合わせて変形させ使用することができる。よって、開創補助具１を配置する部位に密着するように配置できるため、配置された部位から容易に脱落することを防止することが期待できる。
【００２９】
また、本実施形態に係る開創器システム１０は、錫を含有する金属により一体的に形成されている開創補助具１により、開創補助具１を配置する部位の形状に合わせて変形させて配置することができる。
また、開創器システム１は、開創補助具１と開創器８とを、弾性体であるバンド６で固定することにより、切開部９に配置された開創器８を引っ張ることができるため、切開部９を広げる状態を維持することができる。
また、開創器システム１は、開創補助具１と開創器８とを、弾性体であるバンド６で接続することにより、バンド６を伸縮させ、開創器８を配置する位置を容易に調節することができる。
また、開創器システム１は、リング状のバンド６を掛ける突出部４の数を変えることにより、バンド６の長さや弾性力を調節することができるため、バンド６と固定される開創器８の位置や、切開部９に配置された開創器８の引張力を調節することができる。
以上、本発明に係る実施形態について説明したが、これらに限定されるものではなく、発明の趣旨を逸脱しない範囲内において、種々の変更、追加等が可能である。
【符号の説明】
【００３０】
１        開創補助具
２        基部
４        突出部
１０      開創器システム
６        バンド
８        開創器
９        切開部
【図１】
2016083101.tif 000003
【図２】
2016083101.tif 000004
【図３】
2016083101.tif 000005
【図４】
2016083101.tif 000006
【図５】
2016083101.tif 000007